【事件の表示】
　特願２０１３−１２１４５８「画像形成装置」拒絶査定不服審判事件〔平成２６年１２月１８日出願公開、特開２０１４−２３８５２２、請求項の数（４）〕について、次のとおり審決する。
【結　論】
　原査定を取り消す。
　本願の発明は、特許すべきものとする。
【理　由】
第１　手続の経緯　
本願は、平成２５年６月１０日を出願日とする特許出願であって、平成２９年２月３日付けで手続補正がされ、同年３月１５日付けで拒絶査定（以下「原査定」という。）がされ、これに対して、同年６月２１日に拒絶査定不服審判が請求されるとともに、手続補正がされたものである。　
第２　原査定の概要
　原査定に係る拒絶理由の概要は、次のとおりである。
１．原査定時の請求項１に係る発明は、下記の引用文献１ないし４に記載された発明に基づいて当業者が容易に想到し得るものであって、特許法第２９条第２項の規定により特許を受けることができない。
２．原査定時の請求項２ないし７に係る各発明は、下記の引用文献１ないし８に記載された発明に基づいて当業者が容易に想到し得るものであって、特許法第２９条第２項の規定により特許を受けることができない。
　＜引用文献等一覧＞
１．特開２００２−１１６６０３号公報
２．特開平７−３２５４９０号公報
３．特開２０１３−９２６６８号公報
４．特開２０１１−２３７４８６号公報
５．特開２０１３−１９９６２号公報
６．特開２０１１−５９１８９号公報
７．特開２００９−２１０９３８号公報
８．特開２０１１−９５３１５号公報
第３　平成２９年６月２１日付けの手続補正について
　以下のとおり、平成２９年６月２１日付けの手続補正は、特許法第１７条の２第３項から第６項までに規定されている要件に違反するものではない。
　本件補正は、補正前の特許請求の範囲の記載の請求項５、７を削除すると共に、補正前の請求項１を補正前の請求項５を引用する補正前の請求項６の発明特定事項に限定するものであって、特許法第１７条の２第５項第１号の請求項の削除と同法同項第２号の請求項の減縮を目的とするものに該当する。
　なお、「第４　本願の発明」から「第７　むすび」までに示されているように、補正後の請求項１ないし４に係る発明は、独立特許要件を満たすものである。
第４　本願の発明　
　本願の請求項１ないし４に係る発明（以下それぞれ「本願発明１」ないし「本願発明４」という。）は、平成２９年６月２１日付けの手続補正書で補正された特許請求の範囲の請求項１ないし４に記載された事項により特定される発明であり、本願発明１は次のとおりのものである。
　「【請求項１】
　トナー像を形成する画像形成部と，
前記画像形成部により形成されたトナー像の最終媒体への転写を行う転写ニップを形成するベルト部材とを有する画像形成装置において，
　前記ベルト部材上のトナーを回収するベルトクリーナーを有し，
　前記ベルト部材は，弾性層，および，前記弾性層よりも硬いとともに最外周に位置する表面層を有し，複数の支持ローラーに巻き掛けられて回転駆動されるものであり，
　前記ベルト部材の外周面に，前記弾性層をオゾンから保護する保護剤を供給する保護剤供給部を有し，
　前記保護剤供給部は，正規帯電トナーの帯電極性と同極性に帯電した前記保護剤を供給するものであり，
　前記ベルト部材の外周面の前記保護剤供給部により保護剤が供給される供給位置に，保護剤を，前記保護剤供給部から前記ベルト部材に引き付ける向きの電界を発生させるバイアス電圧を印加するバイアス印加部を有し，
　前記ベルト部材は，
　前記画像形成部よりトナー像の１次転写を受けて最終媒体への２次転写を行う中間転写ベルトであり，
　前記ベルト部材の進行方向について，
　前記ベルトクリーナーは，前記２次転写が行われる位置よりも下流で前記画像形成部よりも上流の位置でトナーを回収するものであり，
　前記保護剤供給部は，前記ベルトクリーナーよりも下流で前記画像形成部よりも上流の位置に前記保護剤を供給するものであることを特徴とする画像形成装置。」
　なお、本願発明２ないし４は、本願発明１を引用し、これを更に減縮した発明である。
第５　引用文献、引用発明等
１．引用文献１について
　原査定の拒絶の理由に引用された、本願の出願前に頒布された刊行物である引用文献１（特開２００２−１１６６０３号公報）には、図面と共に次の事項が記載されている。（下線は、審決で付した。以下同じ。）　
（１）「【０００４】ところが、このような画像形成装置では、用いられる
中間転写体が
酸化されていると予測されうる現象により、表面エネルギーが増し、記録媒体との剥離が困難となるという問題点
（２）「【０００８】
【課題を解決するための手段】前記課題
を解決するための手段
＜１＞　　中間転写体を備えたカラー画像形成装置において、酸化防止機能を有する物質（以下、「酸化防止剤」と呼ぶことがある。）を付着させたドナーシートを、中間転写体に接触する部位まで移送し、該中間転写体に接触溶融又は接触させることにより、前記酸化防止機能を有する物質を該中間転写体に供給する手段（以下、「
酸化防止剤供給手段
を備える
カラー画像形成装置
（３）「【００１１】本発明のカラー画像形成装置の一実施形態を図面を参照して説明するが、本発明はこの実施形態に何ら限定されるものではない。図１は、本発明のカラー画像形成装置の一例を示す構成図である。図１に示すカラー画像形成装置には、矢印Ａ方向に循環移動する
無端ベルト状の中間転写体２２、その中間転写体２２を駆動する駆動ロール４、中間転写体２２上にトナー像を担持させる感光体１−１〜１−４、
中間転写体２２上のトナー像を記録媒体上に転写するとともに定着
するための加熱加圧ロール対２
剥離ロール５
等が配置され
【００１２】加熱加圧ロール対２の中央には、それぞれ、熱源となるハロゲンランプが配置されている。更に、加熱加圧ロール対２と剥離ロール５との間には、中間転写体２２とトナー像と記録媒体とを重ねたまま冷却するための冷却ファン２９が配置されている。
剥離ロール５と、中間転写体２２上にトナー像を担持させる感光体１−１〜１−４との間には、
酸化防止剤供給装置２８
が配置され
（４）「【００１６】図２は、本発明のカラー画像形成装置に用いられる酸化防止剤供給装置（酸化防止剤供給手段）の一例を示す構成図である。図２に示す酸化防止剤供給装置２８は、ドナーシート供給ロール３１からドナーシート巻取りロール３４まで、２つのロール３２を介して酸化防止剤を付着させたドナーシート３６を移動させる。
酸化防止剤供給装置２８は、ドナーシート３６が中間転写体２２に接触する位置にサーマルヘッド３３を備え、サーマルヘッド３３によりドナーシート３６を、酸化防止剤の融点を超える温度まで加熱することにより、中間転写体２２の全面にわたって酸化防止剤をドナーシート３６から供給
（５）「【００１８】次に、本発明で用いられる酸化防止剤を付着させたドナーシートについて説明する。
該ドナーシートは、
支持体上に酸化防止剤層を有してなり、
（６）「【００２０】前記
酸化防止剤は、一般に熱劣化や、光劣化防止を目的にプラスチックやゴムに添加して用いられる酸化防止剤をさし、フェノール系化合物、アミン系化合物、りん系化合物、チオエーテル系化合物等
（７）「【００２７】
中間転写体２２は、ベース層と表面層の２層から構造され
ベース層は、カーボンブラックを添加した
ポリイミドフィルム
表面層は、
付加重合型シリコーンゴム
（８）「【００３３】・・・２７　　トナークリーナー・・・」
（９）図１は次のものである。　　　
　　　　
（１０）図１をみると、
中間転写体２２の回転方向に対して、感光体１−１〜１−４、加熱加圧ロール対２、トナークリーナー２７、酸化防止剤供給装置２８の順で配置されている
（１１）前記各記載を総合すると、引用文献１には以下の発明（以下、「引用発明１」という。）が記載されていると認められる。
「中間転写体が酸化されていると予測されうる現象により、表面エネルギーが増し、記録媒体との剥離が困難となるという問題点を解決するための手段として、酸化防止剤供給手段を備えるものであり、無端ベルト状の中間転写体２２、その中間転写体２２を駆動する駆動ロール４、中間転写体２２上にトナー像を担持させる感光体１−１〜１−４、中間転写体２２上のトナー像を記録媒体上に転写するとともに定着するための加熱加圧ロール対２、剥離ロール５等が配置され、剥離ロール５と、中間転写体２２上にトナー像を担持させる感光体１−１〜１−４との間には、酸化防止剤供給装置２８が配置され、酸化防止剤供給装置２８は、ドナーシート３６が中間転写体２２に接触する位置にサーマルヘッド３３を備え、サーマルヘッド３３によりドナーシート３６を、酸化防止剤の融点を超える温度まで加熱することにより、中間転写体２２の全面にわたって酸化防止剤をドナーシート３６から供給し、該ドナーシートは、支持体上に酸化防止剤層を有してなり、酸化防止剤は、一般に熱劣化や、光劣化防止を目的にプラスチックやゴムに添加して用いられる酸化防止剤をさし、フェノール系化合物、アミン系化合物、りん系化合物、チオエーテル系化合物等であり、中間転写体２２は、ベース層と表面層の２層から構造され、ベース層は、カーボンブラックを添加したポリイミドフィルム、表面層は、付加重合型シリコーンゴムからなり、中間転写体２２の回転方向に対して、感光体１−１〜１−４、加熱加圧ロール対２、トナークリーナー２７、酸化防止剤供給装置２８の順で配置されているカラー画像形成装置。」
２．引用文献２について　
　原査定の拒絶の理由に引用された、本願の出願前に頒布された刊行物である引用文献２（特開平７−３２５４９０号公報）には、次の事項が記載されている。
（１）「【０００１】
【産業上の利用分野】本発明は、複写機、プリンター、ファクシミリ等の電子写真方式を用いた
画像形成装置
（２）「【００２１】（７）．（２）又は（３）又は（４）又は（５）又は（６）において、
塗布装置は、中間転写体の移動方向に対して、前記中間転写体のクリーニング装置の下流側で、かつ、像担持体から前記中間転写体への転写部の上流側に設置し
（３）「【００３７】
ベルトクリーニングユニット４よりも更に上流であって、駆動ローラ３０が配置されている部位には、紙転写ユニット５が設けられ
（４）「【００５４】（２）．請求項２に対応する説明
本例は、
潤滑性付与剤の塗布装置
塗布材１２に接触し該塗布材表面に摺擦する関係位置に設けられたブラシローラ１３
（５）「【００５７】本例では、
ステアリン酸亜鉛を主成分とする潤滑性付与剤を溶融し、冷却個化させたものを塗布材
（６）「【００６２】（３）．請求項３に対応する説明
本例では、図３に示すように、
フェルトに潤滑性付与剤としてのステアリン酸亜鉛を含浸させて固形化したフェルトローラ１７を用い
（７）前記各記載を総合すると、引用文献２には以下の発明（以下、「引用発明２」という。）が記載されていると認められる。
「塗布装置は、中間転写体の移動方向に対して、前記中間転写体のクリーニング装置の下流側で、かつ、像担持体から前記中間転写体への転写部の上流側に設置し、中間転写ベルト２の回動方向上、感光体と接している転写領域よりも上流の位置にはベルトクリーニングユニット４が設けられ、ベルトクリーニングユニット４よりも更に上流であって、駆動ローラ３０が配置されている部位には、紙転写ユニット５が設けられ、潤滑性付与剤の塗布装置は、ステアリン酸亜鉛を主成分とする潤滑性付与剤を固形化した板状の塗布材１２に接触し該塗布材表面に摺擦する関係位置に設けられたブラシローラ１３を用いるもの、又は、フェルトに潤滑性付与剤としてのステアリン酸亜鉛を含浸させて固形化したフェルトローラ１７を用いるもののいずれかからなる画像形成装置。」
３．引用文献３について　
　原査定の拒絶の理由に引用された、本願の出願前に頒布された刊行物である引用文献３（特開２０１３−９２６６８号公報）には、図面と共に次の事項が記載されている。
（１）「【００１９】
　図１には、本発明に好適に用いられる
中間転写ベルト
　本実施形態では、
比較的屈曲性が得られる剛性な基層１１の上に柔軟な弾性層１２が積層され、必要に応じてその最表面（基層１１と反対側の最表面）には表層１３が積層され
　なお、後述するように図示を省略しているが弾性層１２の側面（基層１１との接着面が主面であり、この主面に対して垂直な面である。）には表面処理が施されている。」
（２）「【００４５】
（表層１３）
　次に、上記弾性層１２の上に積層させた
表層１３
弾性層１２の表面に何らかの表面処理を施すことによってトナー転写性や耐久性を向上させ
（３）「【００８３】
　図１０は、本発明に係る中間転写ベルトを装備する
画像形成装置
　図１０に示す中間転写ユニット５００は、複数のローラに張架された中間転写体である中間転写ベルト５０１などにより構成されている。この中間転写ベルト５０１の周りには、２次転写ユニット６００の２次転写電荷付与手段である２次転写バイアスローラ６０５、中間転写体クリーニング手段であるベルトクリーニングブレード５０４、潤滑剤塗布手段の潤滑剤塗布部材である潤滑剤塗布ブラシ５０５などが対向するように配設されている。」
（４）「【００９３】
　このようにして
感光体ドラム２００上に順次形成された
トナー像は、中間転写ベルト５０１上の同一面に
１次転写され
　そして、２次転写対向ローラ５１０に張架された中間転写ベルト５０１と２次転写バイアスローラ６０５によりニップが形成された
２次転写部に、
中間転写ベルト５０１上のトナー像の先端がさしかか
【００９４】
　このようにして、転写紙Ｐが２次転写部を通過すると、２次転写電源８０２によって２次転写バイアスローラ（転写手段）６０５に印加された電圧による転写バイアスにより、中間転写ベルト５０１上の４色重ねトナー像が転写紙Ｐ上に一括転写（
２次転写
され
【００９５】
　そして、この転写紙Ｐは、定着装置２７０の定着ローラ２７１、２７２のニップ部でトナー像が溶融定着された後、図示しない排出ローラで装置本体外に送り出され、図示しないコピートレイに表向きにスタックされる。なお、定着装置２７０は必要によりベルト構成部を備えた構成とすることもできる。
【００９６】
　一方、上記ベルト転写後の感光体ドラム２００の表面は、感光体クリーニング装置２０１でクリーニングされ、上記除電ランプ２０２で均一に除電される。また、転写紙Ｐに
トナー像を２次転写した後の中間転写ベルト５０１のベルト外周面に残留した残留トナーは、
ベルトクリーニングブレード５０４によってクリーニングされ
【００９７】
　このベルトクリーニングブレード５０４の上記中間転写ベルト５０１の移動方向上流側には、該中間転写ベルト５０１のベルト外周面に対して接離するトナーシール部材５０２が設けられている。このトナーシール部材５０２は、上記残留トナーのクリーニング時に上記ベルトクリーニングブレード５０４から落下した落下トナーを受け止めて、該落下トナーが上記転写紙Ｐの搬送経路上に飛散するのを防止している。このトナーシール部材５０２は、上記クリーニング部材離接機構によって、上記ベルトクリーニングブレード５０４とともに、該中間転写ベルト５０１のベルト外周面に対して接離される。
【００９８】
　このようにして
残留トナーが除去された中間転写ベルト５０１のベルト外周面には、上記潤滑剤塗布ブラシ５０５により削り取られた潤滑剤５０６が塗布され
該潤滑剤５０６は、例えば、ステアリン酸亜鉛などの固形体からなり、該潤滑剤塗布ブラシ５０５に接触するように配設されている
（５）前記各記載を総合すると、引用文献３には以下の発明（以下、「引用発明３」という。）が記載されていると認められる。
「中間転写ベルトは、比較的屈曲性が得られる剛性な基層１１の上に柔軟な弾性層１２が積層され、必要に応じてその最表面（基層１１と反対側の最表面）には表層１３が積層され、表層１３は、弾性層１２の表面に何らかの表面処理を施すことによってトナー転写性や耐久性を向上させるものであり、感光体ドラム２００上に順次形成されたトナー像は、中間転写ベルト５０１上の同一面に１次転写され、２次転写部に、中間転写ベルト５０１上のトナー像の先端がさしかかり、２次転写され、トナー像を２次転写した後の中間転写ベルト５０１のベルト外周面に残留した残留トナーは、ベルトクリーニングブレード５０４によってクリーニングされ、残留トナーが除去された中間転写ベルト５０１のベルト外周面には、潤滑剤塗布ブラシ５０５により削り取られた潤滑剤５０６が塗布され、該潤滑剤５０６は、例えば、ステアリン酸亜鉛などの固形体からなり、該潤滑剤塗布ブラシ５０５に接触するように配設されている画像形成装置。」
４．引用文献４について　
　原査定の拒絶の理由に引用された、本願の出願前に頒布された刊行物である引用文献４（特開２０１１−２３７４８６号公報）には、図面と共に次の事項が記載されている。
（１）「【０００６】
　また、近年、弾性転写ベルトを有する画像形成装置の使用に際して、坪量の大きい厚紙や超厚紙等の記録媒体が用いられるようになった。弾性転写ベルトを有する画像形成装置に、厚紙や超厚紙等の坪量の大きい記録媒体が使用された場合には、多色
トナー画像を記録媒体に２次転写する際に、弾性転写ベルトの外周面上において、記録媒体に接触する部分と接触しない部分との間に圧力差が生じ、特に、記録媒体周縁の外周面において、大きなひずみが発生
【０００７】
　画像形成装置の使用に際して、弾性転写ベルトにこのようなひずみ差の発生が繰り返されると、
弾性転写ベルトの弾性層にクラックが発生
（２）「【００１６】
　本願発明の
画像形成装置
弾性層を有する転写ベルト上のトナー画像が２次転写される際に、記録媒体に隣接する転写ベルトの外周面上の領域において記録媒体の坪量に応じた担持量の無色トナーＭＴを担持すること
で、弾性層を有する転写ベルトに発生するひずみ差を軽減
転写ベルトにクラックが発生することを防止
（３）「【００２０】
　画像形成装置１は、図１に示されるように、中間転写ベルト１７を備えており、この中間転写ベルト１７の外周面領域には、
中間転写ベルト１７の搬送方向Ｔに沿って、各々、無色トナー画像、イエロートナー画像、マゼンタトナー画像、シアントナー画像及びブラックトナー画像を形成する５つの画像形成ユニット３０Ｌ、３０Ｙ、３０Ｍ、３０Ｃ及び３０Ｋが並ぶよう設けられ
画像形成ユニット３０Ｋより下流側の位置には、２次転写部１４が設けら
２次転写部１４より下流側の位置には、
中間転写ベルトクリーニング手段１８Ｔが設けられ
（４）「【００３０】
　１次転写部１５Ｌは、中間転写ベルト１７を介して像担持体１０Ｌの表面に押圧された状態で１次転写ニップ部を形成するよう配設された１次転写部材と、この１次転写部材に接続された、例えば、定電流電源よりなる転写電流供給装置（図示せず）とにより構成されている。１次転写部材は、例えば、ローラー形状である１次転写ローラー１５１Ｌとすることができる。
【００３１】
　１次転写ローラー１５１Ｌは、中間転写ベルト１７が１次転写ニップ部を通過する方向に直行する方向、すなわち、中間転写ベルト１７の幅方向に垂直に配置することができる。なお、ここでの垂直とは、略垂直を含む概念である。
【００３２】
　また、１次転写ニップ部とは、１次転写が行われる転写ニップ部のことであり、例えば、中間転写ベルト１７と、一方向に伸びた形状である１次転写ローラー１５１等の転写部材とによって形成されるニップ部のことである。
【００３３】
　
１次転写部１５Ｌは、
転写電流供給装置によって１次転写ローラー１５１Ｌに１次転写電流が供給されることにより、像担持体１０Ｌ上に形成された無色トナー像を、中間転写ベルト１７に転写
【００３４】
　像担持体クリーニング手段１８Ｌは、クリーニングブレードを有する。クリーニングブレードは、例えば、ウレタンゴムなどの弾性体よりなり、その基端部分が支持部材によって支持されると共に、先端部分が像担持体１０Ｌの表面に当接されるよう設けられている。クリーニングブレードの基端側から伸びる方向は、当接箇所における像担持体１０Ｌの回転による搬送方向Ｔと反対方向である、いわゆるカウンター方向とすることができる。
【００３５】
　なお、
画像形成ユニット３０Ｌは、
像担持体１０Ｌと、帯電装置１１Ｌと、現像部１３Ｌとを一体として
フレームに支持され、
【００３６】
　
他の画像形成ユニット３０Ｙ、３０Ｍ、３０Ｃ、３０Ｋの各々については、イエロートナー画像、マゼンタトナー画像、シアントナー画像及びブラックトナー画像（有色トナー画像）を形成する現像部１３Ｙ、１３Ｍ、１３Ｃ及び１３Ｋが、現像剤として、無色トナーを含む現像剤の代わりにそれぞれイエロートナー、マゼンタトナー、シアントナー及びブラックトナー（有色トナー）を含む現像剤が用いられることの他は、無色トナー画像に係る画像形成ユニット３０Ｌと同様の構成とされ
（５）「【００３９】
　
中間転写ベルト１７は、基層１７３と、
弾性層１７２と、
樹脂材料により形成される表面層を有
【００４０】
　基層１７３は、ポリイミドに、カーボンブラックや金属粉末などを含む導電性付与剤を添加し、遠心成型することによって形成される。例えば、ポリイミドとしては、熱硬化性ポリイミド、変性ポリイミドなどを用いることができる。また、基層１７３は、例えば、ポリアミドイミド、ポリカーボネート等の樹脂に導電性付与剤を添加することにより形成してもよい。
【００４１】
　弾性層１７２は、基層１７３に、ＮＢＲゴム（アクリロニトリルブタジエンゴム）にカーボンブラックや金属粉末などを含む導電性付与剤を添加したものを塗布することで形成される。また、弾性層１７２は、例えば、クロロプレン、ウレアゴム、シリコンゴム及びＥＰＤＭゴム（エチレンプロピレンジエンゴム）等の伸縮性を有する弾性材料から形成してもよい。弾性層１７２の厚さは、１００μｍ〜２００μｍの範囲とすることができ、弾性層１７２のヤング率は、１ＭＰａ〜７ＭＰａの範囲とすることができる。
【００４２】
　
表面層１７１は、弾性層１７２の表面にＰＴＦＥ（ポリ４フッ化エチレン）等の離型性フィラーを含有したウレタン樹脂をスプレー塗布することで形成され
（６）「【００５５】
　なお、このような表面層１７１及び弾性層１７２のひずみは、記録媒体Ｐにおける２次転写ニップ部の伸びる方向と直行する辺、つまり、記録媒体Ｐの搬送方向に平行な辺において多く発生する。これは、記録媒体Ｐが２次転写ニップ部において挟持される際に、記録媒体Ｐにおける２次転写ニップ部の伸びる方向と直行する辺の方が記録媒体Ｐの搬送方向に平行な辺よりも、記録媒体Ｐからの圧力を受ける時間が相対的に長いことによる。
【００５６】
　画像形成装置１において、制御部５０は、記録媒体Ｐが２次転写ニップ部において挟持される際、すなわち、
２次転写ベルト１７上の多色トナー画像が２次転写される際に、
記録媒体Ｐにおける２次転写ニップ部の伸びる方向
と直行する辺に隣接する表面層１７１上の領域
及び記録媒体Ｐの搬送方向に平行な辺に隣接する表面層１７１上の領域
無色トナーＭＴを担持させる
（７）前記各記載を総合すると、引用文献４には以下の発明（以下、「引用発明４」という。）が記載されていると認められる。
「トナー画像を記録媒体に２次転写する際に、弾性転写ベルトの外周面上において、記録媒体に接触する部分と接触しない部分との間に圧力差が生じ、特に、記録媒体周縁の外周面において、大きなひずみが発生し、弾性転写ベルトの弾性層にクラックが発生するので、弾性層を有する転写ベルト上のトナー画像が２次転写される際に、記録媒体に隣接する転写ベルトの外周面上の領域において記録媒体の坪量に応じた担持量の無色トナーＭＴを担持することで、弾性層を有する転写ベルトに発生するひずみ差を軽減し、転写ベルトにクラックが発生することを防止するものであり、中間転写ベルト１７の搬送方向Ｔに沿って、各々、無色トナー画像、イエロートナー画像、マゼンタトナー画像、シアントナー画像及びブラックトナー画像を形成する５つの画像形成ユニット３０Ｌ、３０Ｙ、３０Ｍ、３０Ｃ及び３０Ｋが並ぶよう設けられ、画像形成ユニット３０Ｋより下流側の位置には、２次転写部１４が設けられ、２次転写部１４より下流側の位置には、中間転写ベルトクリーニング手段１８Ｔが設けられ、１次転写部１５Ｌは、転写電流供給装置によって１次転写ローラー１５１Ｌに１次転写電流が供給されることにより、像担持体１０Ｌ上に形成された無色トナー像を、中間転写ベルト１７に転写し、画像形成ユニット３０Ｌは、像担持体１０Ｌと、帯電装置１１Ｌと、現像部１３Ｌとを一体としてフレームに支持され、他の画像形成ユニット３０Ｙ、３０Ｍ、３０Ｃ、３０Ｋの各々については、イエロートナー画像、マゼンタトナー画像、シアントナー画像及びブラックトナー画像（有色トナー画像）を形成する現像部１３Ｙ、１３Ｍ、１３Ｃ及び１３Ｋが、現像剤として、無色トナーを含む現像剤の代わりにそれぞれイエロートナー、マゼンタトナー、シアントナー及びブラックトナー（有色トナー）を含む現像剤が用いられることの他は、無色トナー画像に係る画像形成ユニット３０Ｌと同様の構成とされ、中間転写ベルト１７は、基層１７３と、弾性層１７２と、樹脂材料により形成される表面層を有し、表面層１７１は、弾性層１７２の表面にＰＴＦＥ（ポリ４フッ化エチレン）等の離型性フィラーを含有したウレタン樹脂をスプレー塗布することで形成され、２次転写ベルト１７上の多色トナー画像が２次転写される際に記録媒体Ｐにおける２次転写ニップ部の伸びる方向と直行する辺に隣接する表面層１７１上の領域及び記録媒体Ｐの搬送方向に平行な辺に隣接する表面層１７１上の領域に、無色トナーＭＴを担持させる画像形成装置。」
５．引用文献５について　
　原査定の拒絶の理由に引用された、本願の出願前に頒布された刊行物である引用文献５（特開２０１３−１９９６２号公報）には、図面と共に次の事項が記載されている。
（１）「【００２２】
　図１には、第１実施形態の一例としての
画像形成装置
（２）「【００３９】
　また、中間転写ベルト６８を挟んで感光体６２の反対側には、感光体６２の外周面に形成されたトナー画像を中間転写ベルト６８に一次転写させる一次転写ロール６７が設けられている。一次転写ロール６７は、感光体６２と中間転写ベルト６８とが接触する位置（これを一次転写位置ＱＡとする）から中間転写ベルト６８の移動方向下流側に離れた位置で、中間転写ベルト６８の裏面に接触している。そして、一次転写ロール６７は、電源（図示省略）から通電されることにより、接地されている感光体６２との電位差で感光体６２のトナー画像を中間転写ベルト６８に一次転写するようになっている。
【００４０】
　さらに、中間転写ベルト６８を挟んで補助ロール６９の反対側には、
中間転写ベルト６８上に一次転写されたトナー画像を記録用紙Ｐに二次転写させ
【００４１】
　また、中間転写ベルト６８を挟んで駆動ロール６１の反対側には、
中間転写ベルト６８の二次転写後の残留トナーを回収するクリーニングブレード５９が設けられ
（３）「【００４５】
　図１に示すように、
記録用紙Ｐの搬送方向における二次転写ロール７１よりも下流側には、二次転写ロール７１によってトナー画像が転写された記録用紙Ｐにトナー画像を定着させる定着装置１００が設けられ
（４）「【００４８】
　図３に示すように、
定着装置１００は、
筐体１０６を有し
筐体１０６内には、
定着ロール１０２と
加圧ロール１０４と、が設けられ
【００４９】
　
さらに、筐体１０６内には、
塗布材１１２Ｂ
を定着ロール１０２の外周面に塗布する
塗布ユニット１１０
が設けられ
（５）「【００７０】
　図３に示すように、
塗布ユニット１１０は、
塗布ロール１１２と、
駆動部１１３と、
リトラクト機構部１６０と、を含
【００７１】
　なお、塗布ユニット１１０は、塗布ロール１１２を定着ロール１０２から退避させる必要が無い構成では、リトラクト機構部１６０が設けられていなくてもよい。また、塗布ロール１１２を定着ロール１０２に対して従動回転させる構成の場合には、駆動部１１３が設けられていなくてもよい。塗布ロール１１２を従動回転させる構成の一例としては、塗布ロール１１２を回転可能に支持すると共に定着ロール１１２と接触させ、塗布ロール１１２の回転軸の端部に負荷を与える。これにより、
定着ロール１０２と塗布ロール１１２との周速度差が生じ
【００７２】
　図５（Ｂ）に示すように、
塗布ロール１１２は、円柱状のステンレス鋼（ＳＵＳ）からなる芯金１１２Ａの外周面に、フッ素系の樹脂材料の一例としての架橋ポリテトラフルオロエチレン（ＰＴＦＥ）を主成分として含む塗布材１１２Ｂが保持された構成となっている
（６）前記各記載を総合すると、引用文献５には以下の発明（以下、「引用発明５」という。）が記載されていると認められる。
「中間転写ベルト６８上に一次転写されたトナー画像を記録用紙Ｐに二次転写させ、中間転写ベルト６８の二次転写後の残留トナーを回収するクリーニングブレード５９が設けられ、記録用紙Ｐの搬送方向における二次転写ロール７１よりも下流側には、二次転写ロール７１によってトナー画像が転写された記録用紙Ｐにトナー画像を定着させる定着装置１００が設けられ、定着装置１００は、筐体１０６を有し、筐体１０６内には、定着ロール１０２と、加圧ロール１０４と、が設けられ、さらに、筐体１０６内には、塗布材１１２Ｂを定着ロール１０２の外周面に塗布する塗布ユニット１１０が設けられ、塗布ユニット１１０は、塗布ロール１１２と、駆動部１１３と、リトラクト機構部１６０と、を含み、定着ロール１０２と塗布ロール１１２との周速度差が生じ、塗布ロール１１２は、円柱状のステンレス鋼（ＳＵＳ）からなる芯金１１２Ａの外周面に、フッ素系の樹脂材料の一例としての架橋ポリテトラフルオロエチレン（ＰＴＦＥ）を主成分として含む塗布材１１２Ｂが保持された構成となっている画像形成装置。」
６．引用文献６について　
　原査定の拒絶の理由に引用された、本願の出願前に頒布された刊行物である引用文献６（特開２０１１−５９１８９号公報）には、図面と共に次の事項が記載されている。
（１）「【００３５】
　ベルトクリーニングブレード１０とイエローの感光体１Ｙの間、すなわち、感光体１Ｙよりもベルト回転方向上流側には、
直鎖状の炭化水素構造を持つ、脂肪酸金属塩などで構成された潤滑剤１１
（２）「【００３９】
　このような構成の
画像形成装置
各トナー像は、
中間転写ベルト５上に各感光体上から一次転写バイアスの作用によって重ね転写され
各色のトナー像が重ね転写された中間転写ベルト５が二次転写部に到達すると、
転写紙１５に、トナー像が一括転写され
【００４０】
　
二次転写を終えた中間転写ベルト５は、ベルトクリーニングブレード１０によって、その表面に残留しているトナーや紙粉が掻き落とされて清掃されたのち、ブラシローラ１２によって潤滑剤１１が塗布され、
【００４１】
　
潤滑剤１１の塗布にあたり、ブラシローラ１２は対向ローラ１３の対向部で回転する
（３）前記各記載を総合すると、引用文献６には以下の発明（以下、「引用発明６」という。）が記載されていると認められる。
「各トナー像は、中間転写ベルト５上に各感光体上から一次転写バイアスの作用によって重ね転写され、各色のトナー像が重ね転写された中間転写ベルト５が二次転写部に到達すると、転写紙１５に、トナー像が一括転写され、二次転写を終えた中間転写ベルト５は、ベルトクリーニングブレード１０によって、その表面に残留しているトナーや紙粉が掻き落とされて清掃されたのち、ブラシローラ１２によって直鎖状の炭化水素構造を持つ、脂肪酸金属塩などで構成された潤滑剤１１が塗布され、潤滑剤１１の塗布にあたり、ブラシローラ１２は対向ローラ１３の対向部で回転する画像形成装置。」
７．引用文献７について　
　原査定の拒絶の理由に引用された、本願の出願前に頒布された刊行物である引用文献７（特開２００９−２１０９３８号公報）には、図面と共に次の事項が記載されている。
（１）「【００１７】
　また、前述のようにスタートスイッチが押されると、図示しない駆動モータにより支持ローラ１４、１５、１６の１つが回転駆動されるとともに、他の２つの支持ローラが従動回転され、中間転写ベルト１０が矢印Ａ方向に回転移送される。また、これと同時に、個々の画像形成手段１８Ｙ、１８Ｍ、１８Ｃ、１８Ｋにおいて、ドラム状の感光体（第１像担持体）４０Ｙ、４０Ｍ、４０Ｃ、４０Ｋが矢印Ｅ方向に回転される。感光体４０Ｙ、４０Ｍ、４０Ｃ、４０Ｋの回転と共に、これらの感光体４０Ｙ、４０Ｍ、４０Ｃ、４０Ｋの周囲にそれぞれ配設されている帯電装置３７で感光体４０Ｙ、４０Ｍ、４０Ｃ、４０Ｋの表面をそれぞれ一様に帯電させる。このように、表面が一様に帯電された感光体４０Ｙ、４０Ｍ、４０Ｃ、４０Ｋ上に、前記スキャナ３００で読取られた画像情報に基づいて変調されたイエロー（Ｙ）、マゼンタ（Ｍ）、シアン（Ｃ）、ブラック（Ｋ）の色画像に対応するレーザ光Ｌがそれぞれ照射されて各色に対応する静電潜像を形成する。続いて、各感光体４０Ｙ、４０Ｍ、４０Ｃ、４０Ｋ上に形成された静電潜像に対して、現像装置３８Ｙ、３８Ｍ、３８Ｃ、３８Ｋからトナーを供給して静電潜像をトナー像化して現像する。このようにして、感光体４０Ｙ、４０Ｍ、４０Ｃ、４０Ｋ上に形成された上記各色の単色画像は、中間転写ベルト１０の移送とともに、それらの単色画像が中間転写ベルト１０に１次転写ローラ６２によって順次転写され、
中間転写ベルト１０上に合成カラー画像が形成され
（２）「【００１９】
　更に、前述のようにスタートスイッチが押されると、給紙テーブル２００の給紙ローラ４２の１つが選択的に回転され、ペーパーバンク４３に多段に設けられた給紙カセット４４の１つから転写材Ｓが繰り出される。繰り出された転写材Ｓは、分離ローラ４５で１枚ずつ分離されて給紙路４６に導入され、搬送ローラ４７で搬送されるとともに、複写機本体１００内の給紙路４８に導かれた後、レジストローラ４９に突き当てられて止められる。また、手差トレイ５１を用いる場合には、給紙ローラ５０が回転され、手差トレイ５１上の転写材Ｓが繰り出されるとともに、繰り出された転写材Ｓは、分離ローラ５２で１枚ずつ分離された後、手差し給紙路５３に導入され、同様にしてレジストローラ４９に突き当てられて止められる。
　
その後、
中間転写ベルト１０と２次転写装置２２との間に転写材Ｓが送り込まれ
、２次転写ローラ２２による転写によって、転写材Ｓ上にカラー画像が記録され
【００２０】
　画像転写後の転写材Ｓは、２次転写ローラ２２及び搬送ベルト２４によって搬送されて定着装置２５へと送り込まれ、定着装置２５で熱と圧力とが加えられて転写画像が定着された後、切換爪５５の切り換で排出ローラ５６により排出され、排紙トレイ５７上にスタックされる。一方、両面コピーの場合、片面に画像が転写された転写材Ｓは、切換爪５５の切り換えによってシート反転装置２８に導入されて反転された後、再び転写位置へと導かれ、裏面にも画像が記録され、その後、排出ローラ５６によって排紙トレイ５７上に排出される。
　一方、
画像転写後の中間転写ベルト１０は、
中間転写ベルト用クリーニングユニット１７により、画像転写後に中間転写ベルト１０上に残留する残留トナーが除去されると共に、中間転写ベルト表面１０ａに潤滑剤２を塗布
タンデム画像形成装置
（３）「【００２４】
　本実施形態による中間転写ベルト用クリーニングユニット１７は、矢印Ａ方向に移送される中間転写ベルト１０の表面１０ａ側に、図１で示すように、支持ローラ１６とテンションローラ６３との間に配設されている。そして、中間転写ベルト用クリーニングユニット１７は、図２で示すように、前述の図９で示す従来の中間転写ベルト用クリーニングユニット１７と同様に、クリーニングブレード１７ａ、搬送スクリュー１９及び潤滑剤塗布装置１７ｂを備えている。
　
潤滑剤塗布装置１７ｂは、
固形潤滑剤２から所要の量の潤滑剤を削り取って、中間転写ベルト表面１０ａに塗布する塗布ブラシローラ１
を備え
（４）「【００３０】
　上記
固形潤滑剤としては、
ステアリン酸基を持つもの
脂肪酸基
脂肪酸
脂肪酸の金属塩
ワックス等
使用できる
　上記実施形態においては、潤滑剤塗布装置１７ｂは、第２像担持体である中間転写ベルト１０に対する塗布装置として使用されているが、前述の画像形成装置の画像形成手段１８Ｙ、１８Ｍ、１８Ｃ、１８Ｋのクリーニングユニット３９内の潤滑剤塗布装置として使用することもできる。」
（５）前記各記載を総合すると、引用文献７には以下の発明（以下、「引用発明７」という。）が記載されていると認められる。
「中間転写ベルト１０上に合成カラー画像が形成され、その後、中間転写ベルト１０と２次転写装置２２との間に転写材Ｓが送り込まれ、２次転写ローラ２２による転写によって、転写材Ｓ上にカラー画像が記録され、画像転写後の中間転写ベルト１０は、中間転写ベルト用クリーニングユニット１７により、画像転写後に中間転写ベルト１０上に残留する残留トナーが除去されると共に、中間転写ベルト表面１０ａに潤滑剤２を塗布し、潤滑剤塗布装置１７ｂは、固形潤滑剤２から所要の量の潤滑剤を削り取って、中間転写ベルト表面１０ａに塗布する塗布ブラシローラ１を備え、固形潤滑剤としては、ステアリン酸基を持つもの、脂肪酸基、脂肪酸、脂肪酸の金属塩ワックスなどが使用できるタンデム画像形成装置。」
８．引用文献８について　
　原査定の拒絶の理由に引用された、本願の出願前に頒布された刊行物である引用文献８（特開２０１１−９５３１５号公報）には、図面と共に次の事項が記載されている。
（１）「【００４２】
　転写ベルト１１は、各感光体ドラム２０Ｙ、２０Ｍ、２０Ｃ、２０ＢＫに対峙しながら矢印Ａ１方向に移動可能となっている。各感光体ドラム２０Ｙ、２０Ｍ、２０Ｃ、２０ＢＫに形成された可視像すなわちトナー像は、矢印Ａ１方向に移動する転写ベルト１１に対しそれぞれ重畳転写され、その後、記録媒体である転写紙Ｓに一括転写されるようになっている。よって画像形成装置１００は中間転写方式言い換えると間接転写方式の画像形成装置となっている。したがって
画像形成装置
（２）「【００４５】
　
転写ベルト１１は、ベース層を伸びの少ない材質で構成し、ベース層の表面を平滑性の良い材質によって覆ったコート層とし、ベース層にコート層を重ねて形成した多層構造
ベース層の材質としては、たとえばフッ素樹脂、ＰＶＤＦシート、ポリイミド系樹脂が挙げられ
コート層の材質としては、たとえばフッ素系樹脂等が挙げられ
（３）「【００６７】
　
潤滑剤塗布装置８１は、２次転写ベルト６５に潤滑剤を供給することで２次転写ベルト６５を介して潤滑剤を転写ベルト１１に供給するものであ
　潤滑剤塗布装置８１の詳細については後述する。」
（４）「【００７５】
　現像により得られたイエロー、マゼンタ、シアン、ブラックの
各色のトナー像は、
回転している転写ベルト１１上の同じ位置に転写され、転写ベルト１１上には合成カラー画像が形成され
（５）「【００７７】
　
転写ベルト１１上に重ね合わされた合成カラー画像が
ニップ圧の作用によって転写紙Ｓに２次転写され、
（６）「【００８１】
　
２次転写を終えた
転写ベルト１１は、クリーニング装置１３に備えられたクリーニングブレード７６によって転写後にその表面に残留した転写残トナーを除去されてクリーニングされ、
（７）「【００９３】
　
潤滑剤塗布装置８１は、
潤滑性物質８２及び２次転写ベルト６５に当接し潤滑性物質８２を掻き取って２次転写ベルト６５に供給し塗布する塗布部材としての塗布ブラシであるブラシローラ８３
（８）「【００９６】
　
潤滑性物質８２
の成分は、成膜性に優れた脂肪酸金属塩と
無機潤滑剤とを併用したもの
（９）前記各記載を総合すると、引用文献８には以下の発明（以下、「引用発明８」という。）が記載されていると認められる。
「転写ベルト１１は、ベース層を伸びの少ない材質で構成し、ベース層の表面を平滑性の良い材質によって覆ったコート層とし、ベース層にコート層を重ねて形成した多層構造であり、ベース層の材質としては、たとえばフッ素樹脂、ＰＶＤＦシート、ポリイミド系樹脂が挙げられ、コート層の材質としては、たとえばフッ素系樹脂等が挙げられ、潤滑剤塗布装置８１は、２次転写ベルト６５に潤滑剤を供給することで２次転写ベルト６５を介して潤滑剤を転写ベルト１１に供給するものであり、各色のトナー像は、回転している転写ベルト１１上の同じ位置に転写され、転写ベルト１１上には合成カラー画像が形成され、転写ベルト１１上に重ね合わされた合成カラー画像が、ニップ圧の作用によって転写紙Ｓに２次転写され、２次転写を終えた転写ベルト１１は、クリーニング装置１３に備えられたクリーニングブレード７６によって転写後にその表面に残留した転写残トナーを除去されてクリーニングされ、潤滑剤塗布装置８１は、潤滑性物質８２及び２次転写ベルト６５に当接し潤滑性物質８２を掻き取って２次転写ベルト６５に供給し塗布する塗布部材としての塗布ブラシであるブラシローラ８３を有し、潤滑性物質８２の成分は、成膜性に優れた脂肪酸金属塩と、無機潤滑剤とを併用したものである画像形成装置。」
第６　対比・判断　
１．本願発明１について　
（１）対比　
　本願発明１と引用発明１とを対比すると、後者の「中間転写体」は、前者の「「ベルト部材」及び「中間転写ベルト」」に相当し、以下同様に、「「駆動ロール４」及び「剥離ロール５」」は「複数の支持ローラー」に、「記録媒体」は「最終媒体」に、「感光体１−１〜１−４」は「画像形成部」に、「表面層」は「表面層」に、「トナークリーナー２７」は「ベルトクリーナー」に、「カラー画像形成装置」は、「画像形成装置」にそれぞれ相当する。
　また、後者は、「中間転写体２２上にトナー像を担持させる感光体１−１〜１−４」と「中間転写体２２上のトナー像を記録媒体上に転写するとともに定着するための加熱加圧ロール対２」の事項を備えているから、前者の「前記画像形成部よりトナー像の１次転写を受けて最終媒体への２次転写を行う中間転写ベルト」の事項を備えているといえる。
　また後者の「加熱加圧ロール対２」の位置は、「２次転写が行われる位置」といえ、後者の「酸化防止剤供給装置２８」は、「中間転写体２２の全面にわたって酸化防止剤をドナーシート３６から供給」するものであり、酸化防止剤も中間転写体２２を保護するものといえるから、前者の「保護剤供給部」に相当する。
　そして後者の「中間転写体２２の回転方向に対して、感光体１−１〜１−４、加熱加圧ロール対２、トナークリーナー２７、酸化防止剤供給装置２８の順で配置されている」との位置関係は、前者の「前記ベルト部材の進行方向について，
　前記ベルトクリーナーは，前記２次転写が行われる位置よりも下流で前記画像形成部よりも上流の位置でトナーを回収するものであり，
　前記保護剤供給部は，前記ベルトクリーナーよりも下流で前記画像形成部よりも上流の位置に前記保護剤を供給するもの」との位置関係に相当するといえる。
　したがって、両者は、　
　「トナー像を形成する画像形成部と，
前記画像形成部により形成されたトナー像の最終媒体への転写を行う転写ニップを形成するベルト部材とを有する画像形成装置において，
　前記ベルト部材上のトナーを回収するベルトクリーナーを有し，
　前記ベルト部材は，最外周に位置する表面層を有し，複数の支持ローラーに巻き掛けられて回転駆動されるものであり，
　前記ベルト部材の外周面に，保護剤を供給する保護剤供給部を有し，
　前記ベルト部材は，
　前記画像形成部よりトナー像の１次転写を受けて最終媒体への２次転写を行う中間転写ベルトであり，
　前記ベルト部材の進行方向について，
　前記ベルトクリーナーは，前記２次転写が行われる位置よりも下流で前記画像形成部よりも上流の位置でトナーを回収するものであり，
　前記保護剤供給部は，前記ベルトクリーナーよりも下流で前記画像形成部よりも上流の位置に前記保護剤を供給するものである画像形成装置。」　
　の点で一致し、以下の点で相違している。　
［相違点１］
　本願発明１の「中間転写ベルト」である「ベルト部材は，弾性層，および，・・・表面層を有する」のに対して、引用発明１の「中間転写体２２は、ベース層と表面層の２層から構造」される点で相違している。
　
［相違点２］
　本願発明１の「表面層」が「弾性層よりも硬い」のに対して、引用発明１の「表面層」には「弾性層よりも硬い」ことが備わっていない点で相違している。
［相違点３］本願発明１は、「弾性層をオゾンから保護する保護剤を供給する」「保護剤供給部は，正規帯電トナーの帯電極性と同極性に帯電した前記保護剤を供給するものであり，
　前記ベルト部材の外周面の前記保護剤供給部により保護剤が供給される供給位置に，保護剤を，前記保護剤供給部から前記ベルト部材に引き付ける向きの電界を発生させるバイアス電圧を印加するバイアス印加部を有し」ているのに対して、引用発明１は、「一般に熱劣化や、光劣化防止を目的にプラスチックやゴムに添加して用いられる酸化防止剤」を供給する「酸化防止剤供給装置２８は、ドナーシート３６が中間転写体２２に接触する位置にサーマルヘッド３３を備え、サーマルヘッド３３によりドナーシート３６を、酸化防止剤の融点を超える温度まで加熱することにより、中間転写体２２の全面にわたって酸化防止剤をドナーシート３６から供給」するものである点で相違している。
（２）判断　
ア．相違点３について検討する。
（ア）引用発明２、３、６、７、８の「中間転写体」に塗布される「潤滑剤」は、相違点３に係る本願発明１の「弾性層をオゾンから保護する」「保護剤」ではない。
　引用発明２、３、６、７、８は、「中間転写体」に「潤滑剤」を「ブラシ」又は「フェルトローラ」によって、塗布するものであり、相違点３に係る本願発明１の「前記保護剤供給部は，正規帯電トナーの帯電極性と同極性に帯電した前記保護剤を供給するものであり，
　前記ベルト部材の外周面の前記保護剤供給部により保護剤が供給される供給位置に，保護剤を，前記保護剤供給部から前記ベルト部材に引き付ける向きの電界を発生させるバイアス電圧を印加するバイアス印加部を有し」ているものではない。　
　よって、引用発明２、３、６、７、８は、相違点３に係る本願発明１の発明特定事項を備えていない。
（イ）電子写真の技術分野において現像前（１次転写の前工程）にトナーが帯電されることは技術常識であるから、引用発明４においても「無色トナーＭＴ」（中間転写ベルトに供給されるもの）は１次転写前に帯電されていると解され、引用発明４において「イエロートナー画像、マゼンタトナー画像、シアントナー画像及びブラックトナー画像（有色トナー画像）を形成する現像部１３Ｙ、１３Ｍ、１３Ｃ及び１３Ｋが、現像剤として、無色トナーを含む現像剤の代わりにそれぞれイエロートナー、マゼンタトナー、シアントナー及びブラックトナー（有色トナー）を含む現像剤が用いられることの他は、無色トナー画像に係る画像形成ユニット３０Ｌと同様の構成」であるから、前記「無色トナーＭＴ」は、本願発明１の「正規帯電トナー」に相当する「イエロートナー、マゼンタトナー、シアントナー及びブラックトナー（有色トナー）」の帯電極性と同極性に帯電されるといえ、引用発明４は、相違点３に係る本願発明１の中間転写ベルトに供給されるもの（保護材）を「正規帯電トナーの帯電極性と同極性に帯電」することを備えているといえる。
　引用発明４の「１次転写部１５Ｌは、転写電流供給装置によって１次転写ローラー１５１Ｌに１次転写電流が供給されることにより、像担持体１０Ｌ上に形成された無色トナー像を、中間転写ベルト１７に転写」することの「１次転写ローラー１５１Ｌ」、「像担持体１０Ｌ」、「１次転写電流が供給されること」、は、それぞれ、本願発明１の「バイアス印加部」、「保護剤供給部」、「バイアス電圧を印加」に相当するから、引用発明４は、相違点３に係る本願発明１の中間転写ベルトに供給されるもの（保護材）を「前記保護剤供給部から前記ベルト部材に引き付ける向きの電界を発生させるバイアス電圧を印加するバイアス印加部を有」することを備えているといえる。
　よって、中間転写ベルトに供給されるものが、引用発明４の「無色トナーＭＴ」であることに対して、本願発明１では「弾性層をオゾンから保護する」「保護剤」であることで相違している以外は、引用発明４は、相違点３に係る本願発明１の発明特定事項を一応備えている。
　しかしながら、引用発明４の「無色トナーＭＴ」は、本願発明１の「弾性層をオゾンから保護する」「保護剤」ではなく、この点において、引用発明４は、相違点３に係る本願発明１の「弾性層をオゾンから保護する保護剤」の事項を備えていない。
　よって、引用発明４は、相違点３に係る本願発明１の発明特定事項を備えていない。
　
（ウ）引用文献５には、「【００９４】これにより、図８（Ｂ）に示すように、塗布材１１２Ｂで覆われた定着ロール１０２の外周面は、粗面１０２Ｄに比べて粗さの小さい滑面１０２Ｅとなるため、塗布材１１２Ｂを定着ロール１０２の外周面に塗布しない構成に比べて、定着ロール１０２の外周面の荒れが抑制される。また、塗布材１１２Ｂは、フッ素系の樹脂である架橋ポリテトラフルオロエチレンで構成されているため、シリコンゴムに比べてトナーＴの離型性が高い。このため、定着ロール１０２の外周面に塗布された塗布材１１２Ｂは、新たな離型層として機能することになり、定着ロール１０２の離型層１０２Ｃが補強される。
【００９５】さらに、定着装置１００では、記録用紙Ｐ（Ａ３サイズ）上の幅Ｗ２に相当する範囲にあるトナーＴが、滑面１０２Ｅで加熱及び加圧され溶融するので、トナーＴの硬化時の表面が、粗面１０２Ｄを用いたときと比べて滑らかになる。これにより、定着ロール１０２の外周面の荒れによる画質低下が抑制される。」と説明されているから、引用発明５の「塗布材１１２Ｂ」は、本願発明１のように中間転写ベルトの「弾性層をオゾンから保護する保護剤」ではない。
　また、引用発明５の「円柱状のステンレス鋼（ＳＵＳ）からなる芯金１１２Ａの外周面に、フッ素系の樹脂材料の一例としての架橋ポリテトラフルオロエチレン（ＰＴＦＥ）を主成分として含む塗布材１１２Ｂが保持された構成となっている」「塗布材１１２Ｂを定着ロール１０２の外周面に塗布する」ものは、相違点３に係る本願発明１の「前記保護剤供給部は，正規帯電トナーの帯電極性と同極性に帯電した前記保護剤を供給するものであり，
　前記ベルト部材の外周面の前記保護剤供給部により保護剤が供給される供給位置に，保護剤を，前記保護剤供給部から前記ベルト部材に引き付ける向きの電界を発生させるバイアス電圧を印加するバイアス印加部を有し」ているものではない。
　よって、引用発明５は、相違点３に係る本願発明１の発明特定事項を備えていない。
（エ）よって、引用発明１ないし８には、前記相違点３に係る本願発明１の発明特定事項は包含されていない。
　また、前記相違点３に係る本願発明１の発明特定事項が、当業者にとって設計事項であるとする根拠もない。
　そして、本願発明１は前記相違点３に係る発明特定事項を備えることによって、「弾性層がオゾン劣化により硬くなることを防止することができ，ベルト部材のクラックの成長を抑制することができる」（段落【００１３】）、「この電界の作用により，保護剤をより確実に，クラックの深い部分に供給することができる」（段落【００７７】）」という作用効果を奏するものである。
 
イ．したがって、本願発明１は、前記相違点１、２について判断するまでもなく、当業者が容易に発明をすることができたものとはいえない。　
２．本願発明２ないし４について　
　本願発明２ないし４は、本願発明１を引用し、これを更に減縮した発明であり、これらの発明も、本願発明１の前記相違点３に係る発明特定事項を備えるものであるから、本願発明１についてと同様の理由で、当業者が容易に発明をすることができたものとはいえない。
第７　むすび　
　以上のとおりであるから、本願発明１ないし４は、当業者が容易に発明をすることができたものではない。
　したがって、原査定の理由によっては、本願を拒絶することはできない。
　また、他に本願を拒絶すべき理由を発見しない。